(57)【要約】【課題】  遊技機における基板ケースの不正な開封を防止する。【解決手段】  封止手段16は、取付位置で基板ケース14の封止部134に挿入されることにより、ベースブラケット15の被固定部152に抜止め係合可能な軸部162を有する。基板ケース14は、封止部134を被固定部152に固定する前、封止手段16の挿入方向と直交する方向へスライドさせることにより、取付位置にセットされる。ベースブラケット15は、封止部134が被固定部152に重合しているとき、基板ケース14に係合することにより、基板ケース14の開放を阻止する阻止手段158、159aを有する。    【選択図】  図３
2006326198.tif 000002
【特許請求の範囲】
【請求項１】
遊技機内に固定されるベースブラケットと、遊技動作を制御する制御基板を収容し、前記ベースブラケットの表面に固定される基板ケースとを備え、該基板ケースに設けた封止部と前記ベースブラケットに設けた被固定部とが重合する取付位置で、軸状の封止手段をもって、前記封止部を前記被固定部に固定することにより、前記基板ケースの開放を封止するようにした遊技機の基板ケース装置において、
前記封止手段は、前記取付位置で前記封止部に挿入されることにより、前記被固定部に抜止め係合可能な軸部を有し、
前記基板ケースは、前記封止部を前記被固定部に固定する前、前記封止手段の挿入方向と直交する方向へスライドさせることにより、前記取付位置にセット可能であり、
前記ベースブラケットは、前記封止部が前記被固定部に重合しているとき、前記基板ケースに係合することにより、前記基板ケースの開放を阻止する阻止手段を有することを特徴とする遊技機の基板ケース装置。
【請求項２】
基板ケースは、ベースブラケットの表面に配置される第１ケース体と、一端部が該第１ケース体に開閉可能に枢支され、他端部に封止部を有する第２ケース体とを含み、
阻止手段は、前記封止部の近傍において前記第２ケース体に係合することを特徴とする請求項１記載の遊技機の基板ケース装置。
【請求項３】
封止手段は、合成樹脂製で形成されるとともに、軸部に、被固定部に抜止め係合可能な第１弾性爪と、封止部に抜止め係合可能な第２弾性爪とを有することを特徴とする請求項１または２記載の遊技機の基板ケース装置。
【請求項４】
封止手段の第２弾性爪は、封止部内で抜止め係合することを特徴とする請求項３記載の遊技機の基板ケース装置。
【発明の詳細な説明】
【技術分野】
【０００１】
本発明は、遊技を制御する制御基板を基板ケース内に収容した遊技機の基板ケース装置に関する。
【背景技術】
【０００２】
従来、スロットマシン、パチンコ機等の遊技機においては、遊技を制御するＣＰＵ、ＲＡＭ，ＲＯＭ等の電子部品を実装した制御基板を透明な基板ケース内に収容し、制御基板の電子部品を不正に交換する等の不正改造ができないように、基板ケースの封止部を、合成樹脂製で形成された軸状の封止手段により固定することによって、基板ケースを封止している。また、制御基板を検査するとき等、基板ケースを開封する必要がある場合には、封止手段により固定された箇所の封止部の切断部をニッパー等の工具で切断するようになっている（例えば、特許文献１参照）。
【特許文献１】特開平１１−２３９６５０号公報
【発明の開示】
【発明が解決しようとする課題】
【０００３】
しかし、上述の特許文献１に記載された遊技機の基板ケース装置は、封止手段の先端を不正具で変形させる等して、封止手段を封止部から取り外す不正行為を阻止するため、基板ケースに高周波接着等により裏板を接着し、この裏板で封止手段の先端が係合している部分を閉鎖している。しかし、この構造では、接着された裏板を不正に加工することにより、封止手段の不正な取り外しが可能であるとともに、基板ケースを強引に開放することよって、封止手段が破損したり封止部から抜けてしまう等して、基板ケースが不正に開放されるおそれがある。
【０００４】
本発明は、従来の問題に鑑み、基板ケースの不正な開放を確実に阻止することができる遊技機の基板ケース装置を提供することを目的とする。
【課題を解決するための手段】
【０００５】
本発明によると、上記課題は、次のようにして解決される。
（１）遊技機内に固定されるベースブラケットと、遊技動作を制御する制御基板を収容し、前記ベースブラケットの表面に固定される基板ケースとを備え、該基板ケースに設けた封止部と前記ベースブラケットに設けた被固定部とが重合する取付位置で、軸状の封止手段をもって、前記封止部を前記被固定部に固定することにより、前記基板ケースの開放を封止するようにした遊技機の基板ケース装置において、前記封止手段は、前記取付位置で前記封止部に挿入されることにより、前記被固定部に抜止め係合可能な軸部を有し、前記基板ケースは、前記封止部を前記被固定部に固定する前、前記封止手段の挿入方向と直交する方向へスライドさせることにより、前記取付位置にセット可能であり、前記ベースブラケットは、前記封止部が前記被固定部に重合しているとき、前記基板ケースに係合することにより、前記基板ケースの開放を阻止する阻止手段を有する。
【０００６】
（２）上記(１)項において、基板ケースは、ベースブラケットの表面に配置される第１ケース体と、一端部が該第１ケース体に開閉可能に枢支され、他端部に封止部を有する第２ケース体とを含み、阻止手段は、前記封止部の近傍において前記第２ケース体に係合する。
【０００７】
（３）上記(１)または(２)項において、封止手段は、合成樹脂製で形成されるとともに、軸部に、被固定部に抜止め係合可能な第１弾性爪と、封止部に抜止め係合可能な第２弾性爪とを有する。
【０００８】
（４）上記(３)項において、封止手段の第２弾性爪は、封止部内で抜止め係合する。
【発明の効果】
【０００９】
本発明によれば、次のような効果が奏せられる。
（ａ）請求項１記載の発明によると、ベースブラケットに阻止手段を設けたことにより、封止手段に負荷をかけることなく、基板ケースの不正な開放を確実に阻止することができる。
【００１０】
（ｂ）請求項２記載の発明によると、阻止手段は封止部の近傍において第２ケース体に係合するため、基板ケースの開放をより確実に阻止することができる。
【００１１】
（ｃ）請求項３記載の発明によると、封止手段の第１弾性爪が被固定部に、また、第２弾性爪が封止部にそれぞれ抜止め係合するため、封止手段の封止部からの不正な取り外しを確実に阻止することができる。また、第１弾性爪が不正に変形させられても、第２弾性爪が封止部に抜止め係合してため、封止手段の不正な取り外しを阻止することができる。
【００１２】
（ｄ）請求項４記載の発明によると、第２弾性爪が封止部内で抜止め係合して封止部から露出しないため、第２弾性爪が不正に変形させられる等の行為を阻止することができ、封止手段の不正な取り外しをより確実に阻止することができる。
【発明を実施するための最良の形態】
【００１３】
以下、本発明の一実施形態を、各図に基づいて説明する。図１は、本発明を適用した遊技機（スロットマシン）の正面図、図２は、前扉を開けた状態の遊技機の正面図、図３、４は、制御基板ユニットの斜視図、図５は、制御基板ユニットの分解斜視図、図６、７は、要部の拡大縦断面図、図８、９は、要部の拡大横断面図である。なお、以下の説明では、図１、２において紙面手前側を遊技機の「前方または表面側」とし、図１、２において紙面奥側を「後方または裏面側」とし、図１、２において左側を「左方」とし、図１、２において右側を「右方」とする。
【００１４】
遊技機(１)としてのスロットマシンは、前面（正面）が開口する正面視矩形の筐体(２)と、筐体(２)の左側部に上下方向を向く上下１対のヒンジ軸(４)により開閉自在に枢支された前扉(３)とを備える。
【００１５】
筐体(２)内には、複数種類の図柄、数字等で構成される識別情報を変動及び停止表示可能な３個の回転リール(６)と、遊技媒体であるメダル（コインを含む）を貯留及び払出可能なホッパーユニット(７)と、後述の透明な基板ケース(14)内に、遊技全体を統括的に制御する主制御基板(８)が収容されてなる制御基板ユニット(100)と、主制御基板(８)から出力される制御信号に基づいて、前扉(３)の裏面側に設けられた各種遊技情報及び演出を表示可能な液晶表示ユニット(31)に制御信号を出力可能な副制御基板(９)と、主制御基板(８)及びその他の機器へ電力を供給する電源装置(11)とが収容されている。
【００１６】
前扉(３)の前面には、液晶表示ユニット(31)に表示される遊技情報及び演出を透視可能な遊技情報表示窓(34)、各回転リール(６)の識別情報を３こまずつ透視可能な識別情報表示窓(35)、前扉(３)の裏面に設けられる中部基板（図示略）に表示される各種情報を透視可能な複数の情報表示窓(36)、遊技を行うときにメダルが投入されるメダル投入口(37)、メダルの賭数を最大限（３枚）に設定するＭＡＸベットボタン(38)、メダルの賭数を１枚に設定する１枚ベットボタン(39)、全ての回転リール(６)を回転させるときに操作されるスタートレバー(40)、各回転リール(６)の回転を停止させるときに操作される３個のストップボタン(41)等が設けられている。
【００１７】
遊技機(１)の遊技は、遊技者がメダルをメダル投入口(37)に投入した後、ＭＡＸベットボタン(38)または１枚ベットボタン(39)によりメダルの賭数を設定した後、スタートレバー(40)を操作して、全ての回転リール(６)を回転させることによって開始される。
【００１８】
回転リール(６)が回転して所定時間が経過した後、３個のストップボタン(41)を順次操作して、各回転リール(６)の回転を停止させ、停止した３個の回転リール(６)の識別情報の組み合わせにより、入賞の有無、及び賞の大小に応じたメダルの配当枚数が確定され、入賞した場合には、予め定めた入賞枚数分だけホッパーユニット(７)からメダル受皿(3a)にメダルが払い出される。
【００１９】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００２０】
制御基板ユニット(100)は、前述の主制御基板(８)と、主制御基板(８)を収容する透明な合成樹脂製の基板ケース(14)と、基板ケース(14)が固定される金属製のベースブラケット(15)と、基板ケース(15)を封止する軸状の封止手段をなす複数（本実施形態においては６個）の封止ピン(16)とを備える。
【００２１】
基板ケース(14)は、ベースブラケット(15)の前面に配置される第１ケース体(12)と、第１ケース体(12)の前面に開閉自在に設けられる第２ケース体(13)とを含み、ベースブラケット(15)を介して筐体(２)内の後板(21)に固定される。第２ケース体(13)は、左端部が第１ケース体(12)の左端部に設けられた上下の半円筒部(12a)に嵌合されることによって、第１ケース体(12)の前面に開閉自在に枢支される。
【００２２】
主制御基板(８)は、第１ケース(12)と第２ケース体(13)との間に挾持された状態で縦置きに収容されるとともに、その前面には、遊技動作を統括的に制御する電子部品(81)、及び外部コネクタ（図示略）が接続される複数の基板側コネクタ(82)が実装され、各種電子部品(81)と各基板側コネクタ(82)とはプリント配線（図示略）により電気的に接続されている。
【００２３】
第１ケース体(12)は、主制御基板(８)の後面側を覆う箱状の第１収容部(121)を有し、第１収容部(121)の右部には、前方へ突出し、かつ上下方向へ弾性変形可能な上下の係合爪(122)が設けられ、同じく右端部には、第２ケース体(13)の右前面に刻設された記号(137)［Ａ」〜「Ｆ」（図３のみに付与）のうちの「Ａ」、「Ｆ」に対応する上下２個の第１封止部(124)が設けられ、同じく上面左部には、上方へ突出する円柱状の突部(125)が設けられ、さらには、上側の第１封止部(124)（記号(137)「Ａ」に対応）の上方には、右方が開口する切欠部(126)が設けられている。
【００２４】
第２ケース体(13)は、主制御基板(８)の表面を覆う箱状の第２収容部(131)を有し、第２収容部(131)の下方には、基板側コネクタ(82)を露出させるための複数の開口部(135)が設けられ、同じく上面右部には、上方へ突出する突部(138)が設けられ、また、同じく右方には、第１ケース体(12)の係合爪(122)が弾性係合し、第２ケース体(13)を第１ケース体(12)に対して閉鎖状態に保持する係合孔(132)が設けられている。
【００２５】
第２収容部(131)の右端部には、封止ピン(16)をもって、第１ケース体(12)の第１封止部(124)に固定される記号(137)「Ａ」、「Ｆ」に対応する上下２個の第２封止部(133)と、封止ピン(16)をもって、ベースブラケット(15)の右部に設けた後述の被固定部(152)に固定される記号(137)「Ｂ」〜「Ｅ」に対応する４個の第３封止部(134)が設けられている。なお、各封止部(133)(134)は、横方向を向く薄肉状の切断部(136)を介して、第２収容部(131)にそれぞれ分離可能に連設されている。
【００２６】
各封止ピン(16)は、上下方向の連結板(18)と共に合成樹脂材料で一体成形されるとともに、記号(137)「Ａ」〜「Ｆ」に対応するように、連結板(18)に薄肉状の切断部(18a)を介して連設され、切断部(18a)を切断することによって、連結板(18)から個別に分離することができる。
【００２７】
封止ピン(16)は、切断部(18a)に接続される拡径の鍔部(161)と、鍔部(161)の裏面から後方へ突出する軸部(162)とを有し、軸部(162)には、ベースブラケット(15)の被固定部(152)に抜止め係合可能な内側に弾性変形可能な第１弾性爪(163)と、第２ケース体(13)の第３封止部(134)に抜止め係合可能な内側に弾性変形可能な第２弾性爪(164)とが設けられている。
【００２８】
なお、各封止ピン(16)は、全て同一形状であるので、図面簡略化のため、図６、７において、鍔部(161)、軸部(162)、第１弾性爪(163)、第２弾性爪(164)及び切断部(18a)の符号は、記号(137)「Ａ」、「Ｂ」、「Ｆ」に対応する封止ピン(16)のみに付し、その他の係止ピン(16)については省略する。
【００２９】
図６、７及び図８に示すように、第１ケース体(12)の第１封止部(124)は、前方（図６、７において左方、図８において下方）を向き、かつ後方（図６、７において右方、図８において上方）が閉鎖された内部孔(124b)を有する有底筒状をなし、その前面壁(124a)には、内部孔(124b)の内径より小径で、かつ封止ピン(16)の第１弾性爪(163)が弾性変形しつつ通過可能な縮径孔(124c)が設けられている。縮径孔(124c)を通過した封止ピン(16)の第１弾性爪(163)は、内部孔(124)内で前面壁(124a)の裏面側に抜止め係合する。
【００３０】
第１封止部(124)の外周には、第１封止部(124)に内部孔(124b)を成型するときに形成される横向きの開口部(124d)が設けられる。内部孔(124b)は、第１ケース体(12)を樹脂成型する際、樹脂用金型のキャビティに、内部孔(124b)及び開口部(124d)の形状に対応するスライドコアを取り付けることによって成型される。
【００３１】
図６、７及び図８に示すように、第２封止部(133)は、封止ピン(16)の軸部(162)を前方から挿入し得るように、前後方向の筒孔(133a)を有する円筒状をなすとともに、第１封止部(124)の開口部(124d)を閉鎖するように、第１封止部(124)の外周に嵌合可能となっている。なお、筒孔(133a)の内径は、封止ピン(16)の鍔部(161)より僅かに拡径となっている。
【００３２】
第２封止部(133)内には、筒孔(133a)を前後に仕切る仕切壁(133b)が設けられ、仕切壁(133b)には、筒孔(133a)の内径より縮径で、かつ封止ピン(16)の各弾性爪(163)(164)が内側に弾性変形しつつ通過可能な縮径孔(133c)が設けられている。なお、第２封止部(133)が第１封止部(124)の外周に嵌合した状態においては、仕切壁(133b)の後面と第１封止部(124)の前面壁(124)とは、前後方向へ所定量離間している。
【００３３】
図６、７及び図９に示すように、第３封止部(134)は、封止ピン(16)の軸部(162)を前方（図９において下方）から挿入し得るように、前後方向の筒孔(134a)を有する円筒状をなすとともに、基板ケース(14)をベースブラケット(15)に固定した状態において、その後端がベースブラケット(15)の被固定部(152)の前面に当接するようになっている。
【００３４】
第３封止部(134)内には、筒孔(134a)を前後に仕切る仕切壁(134b)が設けられ、この仕切壁(134b)には、筒孔(134a)の内径より縮径で、かつ封止ピン(16)の各弾性爪(163)(164)が内側に弾性変形しつつ通過可能な縮径孔(134c)が設けられている。なお、第３封止部(134)は、第２封止部(133)より前後長さが短く設定されていること以外は第２封止部(133)と同一寸法である。
【００３５】
なお、４個の第３封止部(134)は、全て同一形状であるので、図面簡略化のため、図５、６において、筒孔(134a)、仕切壁(134b)及び縮径孔(134c)の符号は、記号(137)「Ｂ」に対応する第３封止部(134)のみに付し、その他の第３封止部(134)については省略する。
【００３６】
ベースブラケット(15)は、複数の止めネジ(17)をもって、筐体(２)内の後板(21)に固定されるとともに、正面視矩形の基部(151)の右端部には、封止ピン(16)をもって、第３封止部(134)が固定される被固定部(152)が設けられ、同じく上面左部には、左方が開口し、第１ケース体(12)の突部(125)が係合可能な左右方向を向く切欠部(157a)を有する阻止部(157)が設けられ、同じく上面右部には、左方が開口し、第２ケース体(13)の突部(138)が係合可能な左右方向を向く阻止手段をなす切欠部(158a)を有する阻止部(158)が設けられ、また、同じく下部には、前方へ折曲され、基板ケース(14)の下面を載置可能な載置片(159)が設けられている。載置片(159)の左右端部には、上方へ折曲され、第２ケース体(13)の前面下部に係合可能な阻止手段をなす折曲片(159a)が設けられている。
【００３７】
被固定部(152)は、前面、上下面及び左右側面を形成する前板部(153)と、後面を形成する後板部(154)とを有し、図６、７及び図９に示すように、前板部(153)と後板部(154)とにより、あらゆる方向が閉鎖された空間部(155)を形成している。前板部(153)の前面には、各第３封止部(134)に対応し、かつ封止ピン(16)の第１弾性爪(163)が内側に弾性変形しつつ挿入可能な４個の係止孔(156)が穿設されている。封止ピン(16)の第１弾性爪(163)は、空間部(155)に突入して前板部(156)の裏面側に抜止め係合する。
【００３８】
阻止部(157)は、突部(125)に係合することにより、第１ケース体(12)の左部をベースブラケット(15)に保持する。阻止部(158)及び折曲片(159a)は、突部(138)及び第２ケース体(13)の前面下部にそれぞれ係合することにより、第２ケース体(13)の開放を阻止する。また、阻止部(158)及び右の折曲片(159a)は、第２ケース体(13)の右部、すなわち第３封止部(134)の近傍に係合するため、第２ケース体(13)の回転中心（左端部）から離れた箇所に係合して、第２ケース体(13)の開放を効果的に阻止することができる。
【００３９】
基板ケース(14)は、図４に示すように、ベースブラケット(15)の載置片(159a)に載せた状態で、封止ピン(16)の挿入方向と直交する方向の右方（図４において矢示Ｂ方向）へスライドさせることによって、図３に示す取付位置（第３封止部(134)が被固定部(152)の係止孔(156)に重合する位置）にセットされる。
【００４０】
基板ケース(14)が取付位置にあるときは、主に図３に示すように、第１ケース体(12)の突部(125)が阻止部(157)の切欠部(157a)に、また、第２ケース体(13)の突部(138)が阻止部(158)の切欠部(158a)にそれぞれ係合するとともに、ベースブラケット(15)の左右の折曲片(159a)が第２ケース体(13)の前面下部に係合して、第２ケース体(13)の開放は阻止されている。したがって、基板ケース(14)を取付位置から左方（図３において矢示Ａ方向）へスライドさせて、第２ケース体(13)と阻止部(158)及び折曲片(159a)との係合関係を外さない限り、第２ケース体(13)を開放することはできない。
【００４１】
封止ピン(16)は、図６に示すように、各封止部(133)(134)に浅く差し込むことにより仮止め状態となり、また、仮止め状態からさらに深く差し込むことにより、主に、図７、８及び図９に示すように本止め状態となる。
【００４２】
仮止め状態にあるとき、封止ピン(16)は、軸部(162)が各封止部(133)(134)の筒孔(133a)(134a)に挿入して、第１弾性爪(163)が各封止部(133)(134)内で各仕切壁(133b)(134b)の裏面に抜止め係合し、各封止部(133)(134)から脱落しないように保持される。
【００４３】
本止め状態にあるとき、第２封止部(133)に挿入された封止ピン(16)は、主に図８に示すように、第１弾性爪(163)が第１封止部(124)の内部孔(124b)内で前面壁(124a)の裏面側に抜止め係合し、また、第２弾性爪(164)が第２封止部(133)内で仕切壁(133b)の裏面側に抜止め係合した状態で、第２封止部(133)を第１封止部(124)に固定することにより、基板ケース(14)を封止する。
【００４４】
また、第３封止部(134)に挿入された封止ピン(16)は、主に図９に示すように、第２弾性爪(164)が第３封止部(134)内で仕切壁(134b)の裏面側に抜止め係合し、第１弾性爪(163)が被固定部(152)の前板部(156)の裏面側に抜止め係合することにより、第３封止部(134)をベースブラケット(15)の被固定部(152)に固定して、基板ケース(14)を封止する。
【００４５】
被固定部(152)に抜止め係合している封止ピン(16)の第１弾性爪(163)は、前板部(153)及び後板部(154)により覆われるため、不正具により第１弾性爪(163)を内側に不正に変形させ、封止ピン(16)を被固定部(152)から取り外すような不正行為を確実に阻止して、基板ケース(14)の不正な開放を確実に阻止することができる。
【００４６】
さらには、被固定部(152)の後板部(154)が不正に加工された場合においても、基板ケース(14)の不正な開放を防止することができる。すなわち、封止ピン(16)の第１弾性爪(163)を、被固定部(152)の係止孔(156)から抜けるように、不正に変形させ得たとしても、第２弾性爪(164)が第３封止部(134)に抜止め係合しているため、封止ピン(16)を第３封止部(134)から抜き取ることはできず、封止ピン(16)の第１弾性爪(163)を含む軸部(162)を被固定部(152)から抜くことはできない。この結果、軸部(162)が係止孔(156)に挿入している限り、基板ケース(14)を取付位置からずらすことはできず、第２ケース体(13)を開放することはできない。
【００４７】
次に、制御基板ユニット(100)の組立て要領及び作用について説明する。先ず、主制御基板(８)を第１ケース体(12)と第２ケース体(13)との間に収容し、係合爪(122)を係合孔(132)に係合させて基板ケース(14)を閉鎖する。
【００４８】
次いで、各封止ピン(16)が連設されている連結板(18)を第２ケース体(12)に嵌合するとともに、各封止ピン(16)を、各封止部(133)(134)に浅く差し込んで、第１弾性爪(163)が各封止部(133)(134)の縮径孔(133c)(134c)を弾性変形しつつ通過して、各筒孔(133a)(134a)内で各仕切壁(133b)(134b)の裏面側に抜止め係合する仮止め状態とする。
【００４９】
封止ピン(16)を仮止め状態にした後、記号(137)「Ａ」に対応する第２封止部(133)に仮保持された封止ピン(16)のみを本止め状態までさらに深く押し込む。これにより、封止ピン(16)の鍔部(161)が、第２封止部(133)の仕切壁(133b)の前面に当接するとともに、第１弾性爪(163)が、第１封止部(124)の縮径孔(124c)を弾性変形しつつ通過して、前面壁(124a)の裏面側に抜止め係合するとともに、第２弾性爪(164)が、第２封止部(133)の縮径孔(133c)を弾性変形しつつ通過して、仕切壁(133b)の裏面側に抜止め係合する。この結果、記号(137)「Ａ」に対応する第２封止部(133)が第１封止部(124)に固定されて、基板ケース(14)は封止される。
【００５０】
第２封止部(133)が第１封止部(124)に固定された状態においては、第１封止部(124)の開口部(124d)を含む内部孔(124b)が、第１封止部(124)の外周に嵌合した第２封止部(133)により閉鎖されるため、内部孔(124)に抜止め係合している封止ピン(16)の第１弾性爪(163)を、不正具により内側へ変形させ、封止ピン(16)を取り外すような不正行為を阻止することができる。
【００５１】
封止ピン(16)により封止された基板ケース(14)を、筐体(２)に取り付けるには、次のように行われる。先ず、図４に示すように、筐体(２)内に予め固定されたベースブラケット(15)の載置片(159)に、基板ケース(14)の下部を載せた状態で右方（矢示Ｂ方向）へスライドさせて取付位置にセットする。取付位置においては、第１ケース体(12)の突部(125)がベースブラケット(15)の阻止部(157)に、また、第２ケース体(13)の突部(138)がベースブラケット(15)の切欠部(158)にそれぞれ係合する。この状態で、第１ケース体(12)の切欠部(126)に係合するネジ(19)を締め付けて、基板ケース(14)をベースブラケット(15)の前面に固定する。
【００５２】
次いで、記号(137)「Ｂ」に対応する第３封止部(134)に仮止めされている封止ピン(16)を、鍔部(161)が仕切壁(134b)の前面に当接するまで深く押し込む。これにより、封止ピン(16)の第１弾性爪(163)が、記号(137)「Ｂ」に対応するベースブラケット(15)の係止孔(156)を内側に弾性変形しつつ通過して被固定部(152)の空間部(155)に突入して、被固定部(152)の前面部(153)の裏面側に抜止め係合するとともに、第２弾性爪(164)が、第３封止部(134)の縮径孔(134c)を内側に弾性変形しつつ通過して仕切壁(134b)の裏面側に抜止め係合する。この結果、記号(137)「Ｂ」に対応する第３封止部(134)がベースブラケット(15)の被固定部(152)に固定されて、基板ケース(14)は封止される。
【００５３】
第３封止部(134)がベースブラケット(15)の被固定部(152)に固定された状態においては、封止ピン(16)の第１弾性爪(163)が、前面部(153)及び後面部(154)により遮蔽されている。これにより、不正具をもって、被固定部(152)の空間部(155)で抜止め係合している第１弾性爪(163)を内側へ変形させて封止ピン(16)を抜き取ることができない。
【００５４】
また、封止ピン(16)を第３封止部(134)から強引に抜き取ろうと試みても、第１弾性爪(163)と第２弾性爪(164)との２ヶ所がそれぞれの部位に抜止め係合しているため、容易に抜き取ることができない。何らかの手段を講じて、被固定部(152)に抜止め係合している第１弾性爪(163)を係止孔(156)から抜けるように不正に変形させ得たとしても、第２弾性爪(164)が第３封止部(134)に抜止め係合しているため、封止ピン(16)を取り外して、第２ケース体(13)を開放することはできない。さらには、ベースブラケット(15)の阻止部(158)及び折曲片(159a)が、第１ケース体(12)の開放を阻止し得るように係合しているため、基板ケース(14)を強引に開けようと試みても、第２ケース体(13)を開放することはできない。この結果、封止ピン(16)に負荷がかかることがないため、封止ピン(16)が破損することはない。
【００５５】
基板ケース(14)をベースブラケット(15)に固定した後、主制御基板(８)の電子部品(81)等の検査を行なう場合には、先ず、記号(137)「Ｂ」に対応する第３封止部(134)の切断部(136)及び封止ピン(16)に連設された切断部(18a)のそれぞれをニッパー等の工具で切断して、第３封止部(134)を第２ケース体(13)から、また封止ピン(16)を連結板(18)から個別に分離する。この後、ネジ(19)を緩めて、基板ケース(14)を左方（図３において矢示Ａ方向）へ移動させることにより、ベースブラケット(15)から取り外すことができる。
【００５６】
基板ケース(14)をベースブラケット(15)から取り外した後は、記号(137)「Ａ」に対応する第２封止部(133)の切断部(136)及び封止ピン(16)の切断部(18a)をそれぞれ切断する。これにより、記号(137)「Ａ」に対応する第２封止部(133)及び封止ピン(16)は、第１ケース体(12)から分離するため、基板ケース(14)を開封して主制御基板(８)を取り出して検査することができる。
【００５７】
また、主制御基板(８)を外部の検査機関で検査する場合には、封止ピン(16)により、記号(137)「Ｆ」に対応する第２封止部(133)を、封止ピン(16)により第１封止部(124)に固定した状態で外部の検査機関に搬送する。これにより、基板ケース(14)の搬送中に、基板ケース(14)が不正に開封されることはない。
【００５８】
検査後は、基板ケース(14)は廃棄される。そして、未使用の基板ケース(14)を準備し、この基板ケース(14)に主制御基板(８)を収容して記号(137)「Ａ」に対応する第２封止部(133)を、別途用意した封止ピン(16)により第１封止部(124)に固定した状態で、送り返される。
【図面の簡単な説明】
【００５９】
【図１】本発明を適用した遊技機の正面図である。
【図２】前扉を開けた状態の遊技機の正面図である。
【図３】制御基板ユニットの斜視図である。
【図４】組立て過程を示す制御基板ユニットの斜視図である。
【図５】制御基板ユニットの分解斜視図である。
【図６】封止止ピンが仮止め状態にあるときの、制御基板ユニットの要部の拡大縦断面図である。
【図７】封止ピンが本止め状態にあるときの、制御基板ユニットの要部の拡大縦断面図である。
【図８】制御基板ユニットの要部の拡大横断面図である。
【図９】制御基板ユニットの他の要部の拡大横断面図である。
【符号の説明】
【００６０】
(１)遊技機
(２)筐体
(３)前扉
(3a)メダル受皿
(４)ヒンジ軸
(６)回転リール
(７)ホッパーユニット
(８)主制御基板（制御基板）
(９)副制御基板
(11)電源装置
(12)第１ケース体
(12a)半円筒部
(13)第２ケース体
(14)基板ケース
(15)ベースブラケット
(16)封止ピン（封止手段）
(17)止めネジ
(18)連結板
(18a)切断部
(19)ネジ
(21)後板
(31)液晶表示ユニット
(34)遊技情報表示窓
(35)識別情報表示窓
(36)情報表示窓
(37)メダル投入口
(38)ＭＡＸベットボタン
(39)１枚ベットボタン
(40)スタートレバー
(41)ストップボタン
(81)電子部品
(82)基板側コネクタ
(100)制御基板ユニット
(121)第１収容部
(122)係合爪
(124)第１封止部
(124a)前面壁
(124b)内部孔
(124c)縮径孔
(124d)開口部
(125)突部
(126)切欠部
(131)第２収容部
(132)係合孔
(133)第２封止部
(133a)筒孔
(133b)仕切壁
(133c)縮径孔
(134)第３封止部（封止部）
(134a)筒孔
(134b)仕切壁
(134c)縮径孔
(135)開口部
(136)切断部
(137)記号
(138)突部
(151)基部
(152)被固定部
(153)前板部
(154)後板部
(155)空間部
(156)係止孔
(157)阻止部
(157a)切欠部
(158)阻止部（阻止手段）
(158a)切欠部
(159)載置片
(159a)折曲片（阻止手段）
(161)鍔部
(162)軸部
(163)第１弾性爪
(164)第２弾性爪
【図１】
2006326198.tif 000003
【図２】
2006326198.tif 000004
【図３】
2006326198.tif 000005
【図４】
2006326198.tif 000006
【図５】
2006326198.tif 000007
【図６】
2006326198.tif 000008
【図７】
2006326198.tif 000009
【図８】
2006326198.tif 000010
【図９】
2006326198.tif 000011